(57)【要約】【課題】  混入した毒物の種類や利用する魚類の種類等に拘わらず、高い信頼性をもって水質を監視することのできる水質監視装置を、簡単な構造で実現することを目的とする。【解決手段】  魚５４を飼育できるようにされた第一の水槽本体１６と第二の水槽本体１８にそれぞれ第一の水位検出手段３４と第二の水位検出手段９０を設けると共に、それぞれの水槽の底面に設けられた出水口５２と給水口６２を連結管路６０で直列に接続し、更に、第二の水槽本体１８の壁部の一部に、周壁の他の部分より低い壁高さの溢流型排水壁７６を設けた。【選択図】  図１
2005321286.tif 000002
【特許請求の範囲】
【請求項１】
内部に水を溜めて魚類を飼育するようになっており、底部に開口して出水口が設けられた第一の飼育水槽と、
前記第一の飼育水槽に対して被検査水を導き入れる給水路と、
内部に水を溜めて魚類を飼育するようになっており、底部に開口して給水口が設けられた第二の飼育水槽と、
前記第一の飼育水槽における前記出水口と前記第二の飼育水槽における前記給水口を相互に連通せしめて、該第一の飼育水槽から排出された前記被検査水を該第二の飼育水槽に導き入れる連結管路と、
前記第二の飼育水槽の周壁部の一部に設けられて、該第二の飼育水槽の周壁における他の部分よりも低くされることによって、該第二の飼育水槽に溜められた前記被検査水を溢流させて排水せしめる溢流型排水壁と、
前記溢流型排水壁を挟んで前記第二の飼育水槽と反対側に形成されて、底部に排水口が設けられた排水升と、
前記第一の飼育水槽の水位を検出する第一の水位検出手段と、
前記排水升の水位を検出する第二の水位検出手段と
を、含んで構成したことを特徴とする水質監視用水槽装置。
【請求項２】
前記第一の飼育水槽の周壁部の一部において、該第一の飼育水槽の周壁における他の部分よりも低いが、前記溢流型排水壁によって設定される水位よりも高い壁高さで形成された第一のオーバーフロー壁と、
前記第一の飼育水槽から前記第一のオーバーフロー壁を越流して流出せしめられた前記被検査水を排水する第一のオーバーフロー排水路と
を、設けた請求項１に記載の水質監視用水槽装置。
【請求項３】
前記排水升の周壁部の一部において、該排水升の周壁における前記溢流型排水壁以外の部分よりも低い壁高さで形成された第二のオーバーフロー壁と、
前記排水升から前記第二のオーバーフロー壁を越流して流出せしめられた前記被検査水を排水する第二のオーバーフロー排水路と
を、設けた請求項１又は２に記載の水質監視用水槽装置。
【請求項４】
前記第一の飼育水槽における前記出水口に対して、該第一の飼育水槽で飼育される前記魚類の流出を阻止し得る第一の目皿構造体を取り外し可能に配設すると共に、該第一の目皿構造体から上方に向かって突出する第一の操作ロッドを設けて、該第一の操作ロッドを使って該第一の目皿構造体を該出水口に対して着脱操作出来るようにした、請求項１乃至３の何れかに記載の水質監視用水槽装置。
【請求項５】
前記排水升における前記排水口に対して、前記第二の飼育水槽で飼育される前記魚類の流出を阻止し得る第二の目皿構造体を取り外し可能に配設すると共に、該第二の目皿構造体から上方に向かって突出する第二の操作ロッドを設けて、該第二の操作ロッドを使って該第二の目皿構造体を該出水口に対して着脱操作出来るようにした請求項１乃至４の何れかに記載の水質監視用水槽装置。
【請求項６】
前記連結管路を連通状態と遮断状態に切り換える連通／遮断バルブを、該連結管路上に設ける一方、該連通／遮断バルブよりも前記第一の飼育水槽における前記出水口側に位置して第一の水槽用ドレンバルブを設けると共に、該連通／遮断バルブよりも前記第二の飼育水槽における前記給水口側に位置して第二の水槽用ドレンバルブを設けた請求項１乃至５の何れかに記載の水質監視用水槽装置。
【請求項７】
前記第二の飼育水槽における前記溢流型排水壁を着脱可能とした請求項１乃至６の何れかに記載の水質監視用水槽装置。
【請求項８】
前記第一の飼育水槽と前記第二の飼育水槽を、互いに独立形成された実質的に同一の基本構造を有する二つの水槽本体を用いて形成した請求項１乃至７に記載の水質監視用水槽装置。
【発明の詳細な説明】
【技術分野】
【０００１】
本発明は、浄水施設等において、水質の監視を行うための装置に係り、特に、生魚を利用した水質監視用水槽装置に関するものである。
【背景技術】
【０００２】
例えば、浄水施設等においては、上水への毒物の混入を確実に検出し、水質安全性を確保することが求められる。しかしながら、毒物を化学的に検出するシステムでは、毒物の種類に応じて検出方法を選択する必要があり、不特定の毒物に対して万全の監視システムを構築することは現実的ではなかった。
【０００３】
そこで、従来から、原水の一部を水槽に導き、その水槽内で飼育する魚類などの水棲生物の状態を監視することによって毒物を検出する手段が提案されている。即ち、水槽内に飼育された水棲生物を目視によって監視し、水棲生物が異常な行動を示したり、弱ったり、死んだりすることにより毒物の混入を検出するのである。このような検出方法によれば、化学的検出手段に比して、多種多様な毒物に対して、確実な検出能力を発揮することができて、上水への不特定な毒物の混入に対して迅速に対応することが可能となる。
【０００４】
しかしながら、この検出方法にも問題がある。即ち、毒物の検出を迅速に行うためには、２４時間体制で水槽内の水棲生物を連続的に監視することが必要であるが、人間の目視による監視を連続的に行うためには、非常に多くの労力や人員が要求される。更に、人間の目視による監視では、見落としや誤認等が生じやすく、確実な検出を連続的に実現することは困難であった。
【０００５】
そこで、特許文献１に示すように、目視に代わってテレビカメラによる撮像手段と、画像解析による異常検出手段とを備えた自動監視装置が新たに提案された。かかる自動監視装置では、２４時間体制での連続的な監視が容易に実現でき、監視に人手を割く必要もない。
【０００６】
しかしながら、テレビカメラによって撮像した画像を処理するには、高価な装置と高度な検出プログラムが必要となる。更に、画像解析による自動監視は、水棲生物の位置や行動パターンから、異常を検出する。具体的には、例えば、水面付近に浮上した水棲生物を死亡していると判断する。ところが、生きている水棲生物であっても水面付近に漂うような行動をする場合があり、かかる自動監視装置では、そのような場合において誤作動を生じるおそれがある。また、テレビカメラを固定的に設置するため、複数の水棲生物が重なり合って撮像される場合もある。そのような場合、画像処理によって確実に水棲生物を判別することが困難となる。なお、特許文献２には、魚影の重なり合いを考慮した自動監視装置が示されているが、かかる特許文献２の装置をもってしても、確実に判別できるとは言えず、しかも、より複雑な画像処理システムを必要とするため、コストの増大を招くおそれもある。加えて、屋外に設置した場合において、風雨などによる水面の波によって、太陽光が乱反射し、誤認や精度の低下が生じやすく、安定して確実な監視が困難である。
【０００７】
更にまた、特許文献３，特許文献４には、水槽に飼育した水棲生物の死亡をテレビカメラによる撮像以外の方法で検出する装置が示されている。即ち、特許文献３では、水面のやや上方に形成された光束を、死後に浮上した魚類の死骸が遮ることによって、魚類の死亡を検出できる。また、特許文献４では、死後に浮上した魚類の死骸の重量によって毒物の混入を検出できるようになっている。これらの検出手段は、魚の気紛れな行動に影響される可能性が比較的低く、異常の検出精度の向上を期待できる。
【０００８】
しかしながら、これらの毒物検出手段は、魚類が死後に浮上した場合のみを考慮したものであり、死後に魚類の死骸が沈降した場合は想定されていない。本発明者は、調査によって、魚類は、その死亡原因や魚種、或いは死亡後の経過時間や水温等といった種々の条件によって、死後にその死骸が浮上する場合と沈降する場合の両方があることを確認している。従って、死亡後に魚類の死骸が浮上するという前提での検出では、確実性を欠くこととなってしまい、検出作動に十分な信頼性を確保することが不可能である。
【０００９】
【特許文献１】実開昭６２−５３３６０号公報
【特許文献２】特公平７−１０４３３５号公報
【特許文献３】特開昭５８−１１５３６５号公報
【特許文献４】実開平５−８４８６２号公報
【発明の開示】
【発明が解決しようとする課題】
【００１０】
ここにおいて、本発明は、上述の如き事情を背景として為されたものであって、その解決課題とするところは、多種多様な毒物を、魚類を利用して高い信頼性をもって検出可能な新規な水質監視用水槽装置を実現することにある。
【課題を解決するための手段】
【００１１】
以下このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
すなわち、本発明の第一の態様は、（ａ）内部に水を溜めて魚類を飼育するようになっており、底部に開口して出水口が設けられた第一の飼育水槽と、（ｂ）前記第一の飼育水槽に対して被検査水を導き入れる給水路と、（ｃ）内部に水を溜めて魚類を飼育するようになっており、底部に開口して給水口が設けられた第二の飼育水槽と、（ｄ）前記第一の飼育水槽における前記出水口と前記第二の飼育水槽における前記給水口を相互に連通せしめて、該第一の飼育水槽から排出された前記被検査水を該第二の飼育水槽に導き入れる連結管路と、（ｅ）前記第二の飼育水槽の周壁部の一部に設けられて、該第二の飼育水槽の周壁における他の部分よりも低くされることによって、該第二の飼育水槽に溜められた前記被検査水を溢流させて排水せしめる溢流型排水壁と、（ｆ）前記溢流型排水壁を挟んで前記第二の飼育水槽と反対側に形成されて、底部に排水口が設けられた排水升と、（ｇ）前記第一の飼育水槽の水位を検出する第一の水位検出手段と、（ｈ）前記排水升の水位を検出する第二の水位検出手段とを、含んで構成したことを特徴とする。
【００１３】
このような本態様に従う構造とされた水質監視用水槽装置においては、第一の飼育水槽において死後に沈降した魚類を検出すると共に、第二の飼育水槽において死後に浮上した魚類を検出することが出来て、しかも、それらを同時並行的に監視することが出来る。それ故、死後に、利用する魚類が浮上した場合でも、沈降した場合でも、毒物の種類や利用する魚類の種類、或いは、気温や水温等の種々の要因に拘わらず、高い信頼性をもって速やかに毒物の混入を検出することが出来る。
【００１４】
更に、第一の飼育水槽と第二の飼育水槽の底部にそれぞれ設けられた出水口と給水口を連結管路によって接続することで、第一の飼育水槽と第二の飼育水槽を水流に対して直列的に接続していると共に、第二の飼育水槽に溢流型排水壁を設けた。それ故、第一及び第二の飼育水槽において、高精度で安定した検出を行うために重要となる水位の設定及び維持管理を、簡単な構造によって、自動的且つ十分な精度で実現できる。
【００１５】
また、第一の飼育水槽と第二の飼育水槽とを各別に設置する場合に比して、配管等がシンプルとなり、全体設置スペースも小さくてすむ上、被検査水を効率的に利用できる。
【００１６】
また、本発明の第二の態様は、前記第一の態様に従う構造とされた水質監視用水槽装置において、（ｉ）前記第一の飼育水槽の周壁部の一部において、該第一の飼育水槽の周壁における他の部分よりも低いが、前記溢流型排水壁によって設定される水位よりも高い壁高さで形成された第一のオーバーフロー壁と、（ｊ）前記第一の飼育水槽から前記第一のオーバーフロー壁を越流して流出せしめられた前記被検査水を排水する第一のオーバーフロー排水路とを、設けたことを特徴とする。
【００１７】
このような本態様に従う構造とされた水質監視用水槽装置においては、毒物の混入によって水位が上昇した際に、第一のオーバーフロー壁を越流した被検査水が第一のオーバーフロー排水路から排水されることにより、第一の飼育水槽から被検査水が溢れ出すのを防ぐことができる。
【００１８】
また、第一のオーバーフロー壁を溢流型排水壁によって設定される水位よりも高い壁高さで形成したことにより、第一のオーバーフロー壁を設けたことによる影響を受けることなく、第一及び第二の飼育水槽の水位が溢流型排水壁の壁高さによって確実に設定されることとなる。それ故、第二の飼育水槽では、被検査水が安定して排水升へ流入する状態に保持せしめられて、毒物混入の際に、排水升の水位の上昇が速やかに検出される。
【００１９】
また、本発明の第三の態様は、前記第一および第二の態様の何れかに従う構造とされた水質監視用水槽装置において、（ｋ）前記排水升の周壁部の一部において、該排水升の周壁における前記溢流型排水壁以外の部分よりも低い壁高さで形成された第二のオーバーフロー壁と、（ｌ）前記排水升から前記第二のオーバーフロー壁を越流して流出せしめられた前記被検査水を排水する第二のオーバーフロー排水路とを、設けたことを特徴とする。
【００２０】
このような本態様に従う構造とされた水質監視用水槽装置においては、毒物の混入によって死亡した魚類の死骸によって排水口が閉塞せしめられた際に、排水升から溢れ出した被検査水を第二のオーバーフロー壁を越流させて、第二のオーバーフロー排水口から排水せしめることができる。それ故、毒物の混入時においても第二のオーバーフロー壁以外の排水升周壁を越えて被検査水が排水升から溢れ出すことを防止できる。
【００２１】
また、本発明の第四の態様は、前記第一乃至第三の何れかの態様に従う構造の水質監視用水槽装置において、前記第一の飼育水槽における前記出水口に対して、該第一の飼育水槽で飼育される前記魚類の流出を阻止し得る第一の目皿構造体を取り外し可能に配設すると共に、該第一の目皿構造体から上方に向かって突出する第一の操作ロッドを設けて、該第一の操作ロッドを使って該第一の目皿構造体を該出水口に対して着脱操作出来るようにしたことを特徴とする。
【００２２】
このような本態様に従う構造とされた水質監視用水槽装置では、毒物混入の際に、第一の飼育水槽において死亡し、沈降した魚類を、安定して出水口に留めることができて、確実に第一の飼育水槽の水位の上昇を生ぜしめることができる。更に、第一の操作ロッドによって、特に、貯水状態下における第一の目皿構造体の着脱作業が容易となる。
【００２３】
また、本発明の第五の態様は、前記第一乃至第四の何れかの態様に従う構造の水質監視用水槽装置において、前記排水升における前記排水口に対して、前記第二の飼育水槽で飼育される前記魚類の流出を阻止し得る第二の目皿構造体を取り外し可能に配設すると共に、該第二の目皿構造体から上方に向かって突出する第二の操作ロッドを設けて、該第二の操作ロッドを使って該第二の目皿構造体を該出水口に対して着脱操作出来るようにしたことを特徴とする。
【００２４】
このような本態様に従う構造とされた水質監視用水槽装置では、毒物混入の際に、第二の飼育水槽において死亡し、浮上して排水升に導かれた魚類を、安定して排水口に留めることができて、確実に排水升の水位の上昇を生ぜしめることができる。更に、第二の操作ロッドによって、特に、貯水状態下における第二の目皿構造体の着脱作業が容易となる。
【００２５】
また、本発明の第六の態様は、前記第一乃至第五の態様に従う構造の水質監視用水槽装置において、前記連結管路を連通状態と遮断状態に切り換える連通／遮断バルブを、該連結管路上に設ける一方、該連通／遮断バルブよりも前記第一の飼育水槽における前記出水口側に位置して第一の水槽用ドレンバルブを設けると共に、該連通／遮断バルブよりも前記第二の飼育水槽における前記給水口側に位置して第二の水槽用ドレンバルブを設けたことを特徴とする。
【００２６】
このような本態様に従う構造の水質監視用水槽装置では、水槽並びに連結管路内に貯留された被検査水を、容易に排水することができる。
【００２７】
また、本発明の第七の態様は、前記第一乃至第六の態様の何れかに従う構造とされた水質監視用水槽装置において、前記第二の飼育水槽における前記溢流型排水壁を着脱可能としたことを特徴とする。
【００２８】
このような本態様に従う構造の水質監視用水槽装置では、要求される水槽内の水位や、水槽内で飼育される魚類の種類や大きさ等によって、溢流型排水壁を高さや形状の異なるものに取り替えることが可能となる。
【００２９】
また、本発明の第八の態様は、前記第一乃至第七の態様の何れかに従う構造の水質監視用水槽装置において、前記第一の飼育水槽と前記第二の飼育水槽を、互いに独立形成された実質的に同一の基本構造を有する二つの水槽本体を用いて形成したことを特徴とする。
【００３０】
このような本態様に従う構造の水質監視用水槽装置においては、装置の製造段階において、複数種の水槽を製造する必要がない。それ故、製造容易で、費用の面でも有利である。
【発明を実施するための最良の形態】
【００３１】
以下、本発明を更に具体的に明らかにするために、本発明の実施形態について、図面を参照しつつ、詳細に説明する。
【００３２】
まず、図１，２，３には、本発明の一実施形態としての水質監視装置１０が示されている。かかる水質監視装置１０は、毒物検出装置１２と警報装置１４からなり、毒物検出装置１２は、略同じ高さに設置された、第一の水槽本体１６と第二の水槽本体１８を含んで構成されている。なお、以下の説明において、上下方向とは、鉛直方向である、図１における上下方向を示すものとする。
【００３３】
より詳細には、第一の水槽本体１６は、全体が繊維強化樹脂によって一体成型されている。かかる第一の水槽本体１６は、底壁と、その外周縁部において上方に向かって立ち上がり、底壁の外周縁部を全周に亘って延びる周壁を、一体的に備えている。また、第一の水槽本体１６の底壁は、平面視を表す図２で左右方向に長く、上下方向に短い、扁平の略八角形で、扁平状態とされた一つの短辺部分から、底壁部が外方に向かって広がっている。これにより、第一の水槽本体１６には、平面視で略八角形の底壁を有する第一の本体部２０に対して、その外周縁部から平面視で略矩形の底壁部をもって外方に突出する付加的な第一の拡張部２２が一体形成されている。
【００３４】
更にまた、第一の本体部２０と第一の拡張部２２との境界部分には、第一の水槽本体１６の周壁部の対向部位において上下方向（深さ方向）に延びる第一の嵌合溝２４，２４が形成されている。そしてこの第一の嵌合溝２４，２４に対して、略矩形平板形状を有する第一のオーバーフロー壁２６が嵌め入れられている。なお、第一のオーバーフロー壁２６は、抜き差しによって第一の水槽本体１６に対して着脱自由とされており、第一のオーバーフロー壁２６を交換することで、その壁高さを、自由に且つ容易に変更調節することが出来るようになっている。また、第一のオーバーフロー壁２６は、その下端及び左右端の各縁部において、何れも第一の水槽本体１６に対して、シール等されて組み付けられている。
【００３５】
そして、第一の水槽本体１６内が第一のオーバーフロー壁によって仕切られて、二分されており、以て、第一のオーバーフロー壁２６を挟んだ一方の側には、平面視が略八角形の底壁部を備えた第一の本体部２０によって第一の飼育水槽２８が形成されている。一方、第一の飼育水槽２８に対して、第一のオーバーフロー壁２６をはさんだ反対側には、略矩形状の底壁部を備えた第一の拡張部２２によって第一のオーバーフロー升３０が形成されている。
【００３６】
ここにおいて、第一の飼育水槽２８は、被検査水３２を貯留できるようになっている。更に、第一の飼育水槽２８には、第一の飼育水槽２８内の水位を検出する第一の水位検出手段としての第一の水位検出センサー３４が取り付けられている。
【００３７】
本実施形態において、第一の水位検出センサー３４としては、公知の電気式の水位検出センサーを使用することが出来る。例示された第一の水位検出センサー３４は、図４，５に示すように、箱形状の本体部３６と、本体部３６の下面から下方に延び出した検出部３８によって構成されている。本体部３６は、配線４０によって上述の警報装置１４に接続される一方、検出部３８は、それぞれ長さが異なり、下端の高さが違う３本の電極４２に樹脂製の波防カバー４４を被せて構成されている。かかる第一の水位検出センサー３４は、水位が上昇して、検出部３８に設けられた３本の電極４２の内、３本全てが水中に入ると、本体部３６に接続された配線４０を通じて警報装置１４を作動させる。また、水位が上昇して、警報装置１４を作動させた後、水位が下降し、３本の電極４２の内、２本以上が水中から脱した状態になると、異常が解消されたと判定して、警報装置１４を停止させる。このような作動／停止条件を定めることにより、波や飛沫等による水面の揺れによって、第一の水位検出センサー３４が誤作動を起こすのを回避することができる。なお、この第一の水位検出センサー３４は、第一の水槽本体１６の壁部に載架せしめられたＬ字断面で金属製の第一のセンサー支持部材４６によって第一の水槽本体１６に対して固定的に取り付けられている。また、かかる第一の水位検出センサー３４は、鉛直上下方向に自由にその取付け位置を調節することが可能とされている。
【００３８】
一方、第一のオーバーフロー升３０の周壁の一部で、第一のオーバーフロー壁２６に対向位置する部分には、第一のオーバーフロー排水口４８が開口形成されている。かかる第一のオーバーフロー排水口４８には、一端が第一のオーバーフロー排水口４８に取り付けられると共に、他端が図示しない側溝へと導かれた、第一のオーバーフロー排水路としての第一のオーバーフロー排水管路５０が接続されている。また、第一のオーバーフロー壁２６は、第一の水槽本体１６の周壁の他の部分に比して壁高さが低くされており、特に、本実施形態においては、第一のオーバーフロー壁２６の壁高さが、後述の溢流型排水壁７６の壁高さよりも高く設定されている。
【００３９】
また、第一の飼育水槽２８の底壁は中央部分の、一箇所に収束する複数の傾斜面によって構成されており、なだらかな漏斗状となっている。そして、第一の飼育水槽２８の最深部、即ち傾斜面の収束部位に当たる底面には、出水口５２が開口形成されている。
【００４０】
出水口５２は、円形の孔であって、第一の飼育水槽２８の底壁よりも低い位置に、円板形状で、第一の飼育水槽２８内で飼育される魚類としての魚５４が通過できない大きさの孔が複数設けられた、第一の目皿構造体５６が嵌め込まれている。かかる第一の目皿構造体５６には、取付け状態において、鉛直上向きに延び出す長手状の、第一の操作ロッドとしての第一の取っ手５８が固着形成されており、この第一の取っ手５８の上端部分が水中から大気中に突出されていることにより、第一の取っ手５８を把持して第一の目皿構造体５６を容易に着脱することが可能となっている。
【００４１】
また、出水口５２には、連結管路６０が接続されている。連結管路６０は、樹脂製の管路であって、第一の水槽本体１６の底壁に開口形成された出水口５２と第二の水槽本体１８の底壁に開口形成された給水口６２にそれぞれ接続されて、連通状態で連結せしめている。また、かかる連結管路６０上で、出水口５２と給水口６２の中間部分には、第一の水槽本体１６と第二の水槽本体１８の連通／遮断を切り替える連通／遮断バルブ６４が配設されている。更に、連通／遮断バルブ６４よりも出水口５２側には、第一の水槽用ドレンバルブとしての第一のドレンバルブ６６が配設されている。本実施形態では、特に、連結管路６０を挟んで、連通／遮断バルブ６４の反対側に第一のドレンバルブ６６を配設した。更にまた、第一のドレンバルブ６６を挟んで連結管路６０の反対側には、一端が連結管路６０に接続される一方、他端が図示しない側溝に開放された、第一の排水管路６８が配設されている。
【００４２】
第二の水槽本体１８は、図１，２，３に示すように、第一の水槽本体１６と実質的に同一の水槽であって、第一の水槽本体１６同様、第二の本体部７０と第二の拡張部７２を備えている。そして、その境界部分には、第二の水槽本体１８の壁部において、第一の水槽本体１６と同様に、上下方向（深さ方向）に延びる第二の嵌合溝７４，７４が形成されている。第二の水槽本体１８では、かかる第二の嵌合溝７４，７４に対して、第一の水槽本体１６における第一のオーバーフロー壁２６に代えて、平板形状の溢流型排水壁７６が組み付けられている。
【００４３】
また、第二の拡張部７２には、第二の嵌合溝７４，７４と同じく上下方向（深さ方向）に延びる第三の嵌合溝７８，７８が形成されており、溢流型排水壁７６と略平行に広がる矩形平板形状の第二のオーバーフロー壁８０が組み付けられている。なお、溢流型排水壁７６と第二のオーバーフロー壁８０は、その下端及び左右端の各縁部において、何れも第二の水槽本体１８に対して、シール等されて組み付けられている。
【００４４】
これによって、第二の水槽本体１８内には、第一の水槽本体１６と同様に、平面視が略八角形の底壁部を備えた第二の本体部７０によって第二の飼育水槽８２が形成されている。また、第二の飼育水槽８２に対して溢流型排水壁７６を挟んで反対側には、第二の拡張部７２が第二のオーバーフロー壁８０によって二分されており、溢流型排水壁７６と第二のオーバーフロー壁８０の対向面間に排水升８４が形成されている一方、第二のオーバーフロー壁８０を挟んで排水升８４と反対側には、第二のオーバーフロー升８６が形成されている。
【００４５】
第二の飼育水槽８２は、上述の如く、第一の飼育水槽２８と略同形であって、第一の飼育水槽２８において出水口５２が開口形成されていた部位に、円形の給水口６２が開口形成されている。
【００４６】
また、本実施形態において、溢流型排水壁７６は、図６示されているように、上端縁部の中央部分がＶ字状に切り欠かれて、壁高さが中央部分の所定幅に亘って低くされた壁体であって、その壁高さは、最も高い部分においても、第二の飼育水槽８２の周壁の壁高さよりも低くされている。更に、溢流型排水壁７６の排水升８４側の壁面には、排水升８４内へ突出する邪魔板８８が形成されている。また、略箱形状とされた排水升８４には、排水升８４内の水位を検出する第二の水位検出手段としての第二の水位検出センサー９０が設置されている。なお、第二の水位検出センサー９０は、上述の第一の水位検出センサー３４と同じ構造のものを採用しており、排水升８４の壁部に載架された第二のセンサー支持部材９２によって排水升８４に取り付けられている。また、第一の水位検出センサー３４と同様に、第二の水位検出センサー９０の取付け位置も鉛直上下方向に自由に調節可能となっている。
【００４７】
更にまた、排水升８４の底壁には、円形の孔である排水口９４が開口形成されており、かかる排水口９４が排水管路９６によって第二の排水管路９８に接続されている。本実施形態において、第二の排水管路９８は、その一端が連結管路６０と接続されていると共に、他端が図示しない側溝に開放されている。また、連結管路６０と第二の排水管路９８の連結部には、第二の水槽用ドレンバルブとしての第二のドレンバルブ１００が配設されている。また、排水口９４内には、排水升８４の底壁より低い位置に第二の目皿構造体１０２が取り付けられており、第一の目皿構造体５６と同じように、円板形状で、魚５４が通過できない孔が設けられている。なお、第二の目皿構造体１０２においても、第一の目皿構造体５６と同様な構造の、第二の操作ロッドとしての第二の取っ手１０４が一体的に形成されている。
【００４８】
また、第二のオーバーフロー壁８０は、その壁高さが、第二の水槽１６の周壁より低くされていればよく、溢流型排水壁７６の壁高さに対して高くても低くても良い。更に、第二のオーバーフロー壁８０によって画成された略箱形状の第二のオーバーフロー升８６の周壁において、第二のオーバーフロー壁８０に対向位置する部分には、円形状の第二のオーバーフロー排水口１０６が開口形成されている。かかる第二のオーバーフロー排水口９４は第二のオーバーフロー排水路としての第二のオーバーフロー排水管路１０８によって第二の排水管路９８に接続されている。
【００４９】
ところで、第一の水槽本体１６及び第二の水槽本体１８は、その上方を第一，第二の防虫網１１０，１１２によって覆われている。かかる第一，第二の防虫網１１０，１１２は、木の葉や虫等の第一，第二の水槽本体１６，１８への侵入を防ぐと共に、第一，第二の飼育水槽２８，８２内において飼育される魚類としての魚５４を鳥獣の襲撃から守るという目的で配設された網であって、第一，第二の防虫網１１０，１１２上に木の葉等が堆積することが無いよう、第一，第二の防虫網１１０，１１２は傾斜面が構成されるように設置されている。また、この第一、第二の防虫網１１０，１１２は、魚５４が第一，第二の飼育水槽２８，８２から槽外へ飛び出すのを防ぐ機能も有する。
【００５０】
上述の如き装置は、図７に示すように、水質監視対象としての被検査水３２を貯留する貯水池１１４の近くに設置される。貯水池１１４には、水中ポンプ１１６が設置されており、貯水池１１４から被検査水３２を採取する。そして、採取された被検査水３２は、水中ポンプ１１６に接続された給水路としての給水管路１１８を通じて、第一の飼育水槽２８に給水される。
【００５１】
このようにして給水された被検査水３２は、第一の飼育水槽２８に貯水されると共に、連結管路６０を通じて第二の飼育水槽８２へと運ばれ、第二の飼育水槽８２に貯水される。そして、給水によって第一，第二の飼育水槽２８，８２の水位が上昇し、溢流型排水壁７６の壁高さを超えると、被検査水３２が排水升８４に流入して、排水口９４から排水管路９６及び連結管路６０を通じて図示しない側溝に排水される。これによって、第一の飼育水槽２８及び第二の飼育水槽８２の水位が溢流型排水壁７６の壁高さに応じて一定に保たれることとなる。なお、ここにおいて、第一の水槽本体１６内に貯水された被検査水３２への大気圧作用下において、第一の水槽本体１６から連結管路６０への最大排水量と、連結管路６０から第二の水槽本体１８への最大給水量と、排水升８４から第二の排水管路９８への最大排水量が、給水管路１１８によって第一の飼育水槽２８に供給される被検査水３２の給水量より十分に大きくなるように出水口５２，連結管路６０，給水口６２，排水口９４，排水管路９６，第二の排水管路９８の各口径がそれぞれ設定されている。
【００５２】
このようにして、第一の飼育水槽２８及び第二の飼育水槽８２に所定の量の被検査水３２が貯水された状態で、第一の飼育水槽２８及び第二の飼育水槽８２のそれぞれに毒物を検出する魚類としての魚５４が入れられて、第一の飼育水槽２８及び第二の飼育水槽８２に貯水された被検査水３２で飼育される。毒物の検出体として用いる魚５４としては、その目的に鑑みて、毒物に対する耐性の弱い魚種が好適に採用される。また、後述の毒物検出手段に関連して、体長は１０ｃｍ〜１５ｃｍ程である事が望ましく、具体的には、例えば、あまご等の魚が好適に採用され得る。更に、多種多様な毒物の確実な検知を実現するためには、複数種類の魚を同時に利用することがより望ましい。
【００５３】
次に、貯水池１１４に毒物が混入した際における、検出，通報といった水質監視装置１０の作動を図８に沿って説明する。
【００５４】
すなわち、図８のフローチャートにおいて示すように、貯水池１１４（Ｓ１）に毒物が混入すると（Ｓ２）、毒物が混入した被検査水３２が、水中ポンプ１１６によって給水管路１１８を通じて第一の飼育水槽２８に運ばれる（Ｓ３）。そして、かかる毒物によって、第一の飼育水槽２８内に飼育された魚５４が死亡し、その死骸が沈降乃至浮上する（Ｓ４）。死亡した魚５４の死骸の内、沈降したものは、図４に示すように、水流や第一の飼育水槽２８の底面の傾斜によって、出水口５２へ導かれて、出水口５２を閉塞せしめる。なお、出水口５２へ運ばれた魚５４の死骸は、魚５４が通過できない大きさの孔を備えた第一の目皿構造体５６が出水口５２に配設されていることによって、連結管路６０内へ進入することなく、確実に出水口５２に留まり、出水口５２を閉塞させる（Ｓ５）。
【００５５】
そして、出水口５２が魚５４の死骸によって閉塞せしめられたことと、給水管路１１８より連続的に給水されることによって、第一の飼育水槽２８に貯留された被検査水３２の水位が徐々に上昇する。（Ｓ６）
【００５６】
第一の飼育水槽２８の水位が所定の高さまで上昇し、第一の水位検出センサー３４が水位の上昇を検出すると（Ｓ７）、警報装置１４が作動（発報）する。本実施形態における警報装置１４としては、図７に示すように、専用回線１２０を通じて遠隔地において管理者が操作する中央監視装置１２２に、音や画像による警告を発する（Ｓ８）と共に、水質監視装置１０付近に設置されて、水質監視装置１０の全体を撮像できるようにされたテレビカメラ１２４（Ｓ９）が、水質監視装置１０の様子を、ＡＤＳＬ回線１２６を通じて、中央監視装置１２２の監視モニター１２８に送信するシステムとなっている（Ｓ１０）。なお、監視モニター１２８上に表示されたテレビカメラ１２４の操作画面では、画像の拡大やリプレイ等の種々の操作が可能とされている。また、テレビカメラ１２４は、警報装置１４の作動（発報）の有無に拘わらず、常時撮像して、その映像を近くに設置した図示しない記憶装置に記録し続けるようになっている。即ち、発報作動時には、テレビカメラ１２４によって撮像した画像を、ＡＤＳＬ回線１２６を通じて、中央監視装置１２２に送るが、正常時には、記録のみをし続ける。なお、撮像の記録は、必ずしも連続的に行う必要は無く、１週間毎等の所定時間毎に上書きされるようにしても良い。
【００５７】
ところで、本実施形態において、水質監視装置１０は、既設のセキュリティーシステム１３２および既設の上水道監視装置１３４と組み合わせた形態で構成されている。なお、セキュリティーシステム１３２とは、監視カメラ及びセンサーによって浄水施設への侵入者を監視する装置であり、一方、上水道監視装置１３４とは、浄水施設において水位や水量或いはポンプの運転状態やバルブの開度等を遠方監視及び遠方制御する装置である。そして、本実施形態において、遠隔地の管理者によって操作される中央監視装置１２２は、セキュリティーシステム１３２と、上水道監視装置１３４を管理，制御していたものを用いており、セキュリティーシステム１３２と、上水道監視装置１３４と、水質監視装置１０とを一括で管理，制御することができる。また、中央監視装置１２２に対して警告を発する際に使用する、端末器１３０及び専用回線１２０も、セキュリティーシステム１３２や上水道監視装置１３４において使用している端末器１３０及び専用回線１２０を使用している。
【００５８】
更に第一の飼育水槽２８内の水位が上昇し、第一のオーバーフロー壁２６の壁高さを超えると、被検査水３２が第一のオーバーフロー升３０に流入する。第一のオーバーフロー升３０に貯留された被検査水３２は、第一のオーバーフロー排水管路５０を通じて、側溝へと排水されるため、第一の飼育水槽２８の水位が上昇し続けるのを防ぐことができる。なお、第一の水槽本体１６内に貯水された被検査水３２への大気圧作用下において、第一のオーバーフロー排水口４８及び第一のオーバーフロー排水管路５０を通じての最大排水量が、給水管路１１８による第一の飼育水槽２８に対する給水量より十分に大きくなるように、第一のオーバーフロー排水口４８及び第一のオーバーフロー排水管路５０の口径が設定されている。
【００５９】
一方、連結管路６０を通じて第二の飼育水槽８２へ運ばれた毒物の混入した被検査水３２によって、第二の飼育水槽８２で飼育されている魚５４も第一の飼育水槽２８で飼育されていた魚５４同様、死亡する（Ｓ４）。
【００６０】
死亡した魚５４の死骸の内、浮上したものは、図５において矢印で示すように、水面の流れに従って、溢流型排水壁７６を越えて、排水升８４に運ばれる。なお、溢流型排水壁７６の上部にＶ字型の切欠きを設けたことにより、魚５４が溢流型排水壁７６上を通過することができるだけの水流の深さを得ている。
【００６１】
溢流型排水壁７６を越えた魚５４の死骸は、邪魔板８８によって案内されて、排水口９４へ運ばれ、排水口９４を閉塞せしめる（Ｓ５）。なお、魚５４が通過できない大きさの孔を設けた第二の目皿構造体１０２を排水口９４に取り付けたことにより、魚５４の死骸が連結管路６０内へ進入することなく、確実に排水口９４に留まり、排水口９４を閉塞させる。更に、邪魔板８８を、溢流型排水壁７６に対して排水升８４内へ突出するように取り付けたことにより、魚５４を確実に排水口９４へと運ぶことができると共に、排水升８４へ流入する水流の勢いを弱めることができて、排水口９４に運ばれた魚５４が、激しい水流によって排水口９４から押し流されて排除されるのを防ぐことができる。尤も、このような邪魔板８８は必ずしも設ける必要は無い。特に、溢流型排水壁７６を越流する水量や排水口９４の位置等を適当に調整して、排水升８４内へ流れ込む流水の落下箇所から、排水口９４を離すことにより、邪魔板８８を設けたのと同様な効果を得ることが出来る。
【００６２】
このように排水口９４が閉塞されると、排水升８４内の被検査水３２の排水が滞ることと、給水口６２からの被検査水３２の給水が継続されることによって、排水升８４内の水位が上昇する（Ｓ６）。
【００６３】
そして、所定の高さまで、排水升８４内の水位が上昇すると、第二の水位検出センサー９０が作動し（Ｓ７）、前述の如く中央監視装置１２２に対して警告を発する（Ｓ８）と共に、常時撮像しているテレビカメラ１２４（Ｓ９）による映像の中央監視装置１２２への送信を開始する（Ｓ１０）。
【００６４】
また、排水升８４内の水位が更に上昇して、第二のオーバーフロー壁８０の高さを超えると、被検査水３２が第二のオーバーフロー升８６へ流入する。そして、第二のオーバーフロー升８６に貯留された被検査水３２は、第二のオーバーフロー排水口９４から第二のオーバーフロー排水管路１０８及び連結管路６０を通じて、側溝へと排水されるため、排水の阻害による水位の上昇がそれ以上生じなくなる。なお、第一の水槽本体１６内に貯水された被検査水３２への大気圧作用下において、第二のオーバーフロー排水口１０６及び第二のオーバーフロー排水管路１０８を通じての最大排水量が、給水管路１１８による第一の飼育水槽２８に対する給水量より十分に大きくなるように、第二のオーバーフロー排水口１０６及び第二のオーバーフロー排水管路１０８の口径が設定されている。
【００６５】
ここにおいて、毒物によって魚５４が死亡した場合、毒物の種類や気温或いは水温といった種々の条件によって、魚５４は死後に浮上する場合と沈降する場合の両方がある。本実施形態に従う構造の水質監視装置１０では、沈降した場合に、第一の水槽本体１６（沈降型検出用水槽）において水位の上昇が検出されると同時に、浮上した場合に、第二の水槽本体１８（浮上型検出用水槽）において水位の上昇が検出されるため、毒物の種類や、死後の魚５４の浮上／沈降に拘わらず、確実に毒物の混入を検出することが可能である。
【００６６】
また、水位の上昇を検出するためには、平常時の第一，第二の飼育水槽２８，８２における水位を一定に保つことが必要であるが、本実施形態に従う構造の水質監視装置１０においては、水位の維持を簡単且つ確実な手段によって実現している。即ち、連結管路６０によって第一の飼育水槽２８と第二の飼育水槽８２を直列的に連通状態で接続すると共に、かかる連結管路６０が接続される出水口５２及び給水口６２の開口位置をそれぞれ第一，第二の飼育水槽２８，８２の底面としたことにより、大気圧の作用によって、第一の飼育水槽２８と第二の飼育水槽８２の水面が同一の高さに保持されることとなる。更に、第二の飼育水槽８２において、溢流型排水壁７６を配設すると共に、第一の飼育水槽２８において、第一のオーバーフロー壁２６を溢流型排水壁７６よりも高い壁高さで形成したことにより、水槽内の水位が溢流型排水壁７６の壁高さを超えると、被検査水３２が、排水升８４へと流入し、排水口９４から排水される。それ故、毒物の混入が無い状態下では、溢流型排水壁７６の壁高さによって第一の飼育水槽２８および第二の飼育水槽８２の水位が設定されることとなり、第一，第二の飼育水槽２８，８２の水位の設定及び維持が極めて簡単な構造によって実現できる。
【００６７】
更に、安定的且つ連続的に第一の飼育水槽２８への給水を続けることにより、被検査水３２の第二の飼育水槽８２への流入量が安定し、溢流型排水壁７６を越えて排水升８４へ流入する被検査水３２の量を安定的に保つことができて、排水升８４内の水位が一定に維持できる。
【００６８】
また、第一の水槽本体１６と第二の水槽本体１８を連結したことにより、それぞれを個別の装置として併設する場合に比べて、配管を簡便にでき、小型化が可能である。更に、第一の水槽本体１６と第二の水槽本体１８が連結管路６０によって接続され、通水せしめられることにより、採取する被検査水３２を効率よく利用することができて、第一，第二の水槽本体１６，１８を個別に設置した場合に比して必要な被検査水３２の量を少なくすることができる。
【００６９】
また、第一の飼育水槽２８の周壁の一部において、周壁の他の部分に比して低い壁高さとされた第一のオーバーフロー壁２６を形成したことにより、第一の飼育水槽２８の水位が上昇した際に、被検査水３２を確実に第一のオーバーフロー升３０へ導くことができて、第一の飼育水槽２８の周壁の他の部分を越流するのを防ぐことができる。
【００７０】
更に、排水升８４の周壁において、溢流型排水壁７６と対向位置する部分が、周壁の他の部分に比して低い壁高さとされた第二のオーバーフロー壁８０とされており、排水升８４の水位が上昇した際に、被検査水３２が第二のオーバーフロー升８６へ確実に流れ込んで、排水升８４の周壁の他の部分から被検査水３２が外部に流出することを防止できる。
【００７１】
更に、出水口５２および排水口９４に対して、それぞれ第一の目皿構造体５６と第二の目皿構造体１０２を取り付けたことにより、魚５４が連結管路６０内に侵入するのを防ぐことができると共に、毒物の混入時には、出水口５２および排水口９４に対して下方に取り付けられている第一の目皿構造体５６および第二の目皿構造体１０２によって、魚５４の死骸を確実に出水口５２および排水口９４に詰まらせることができる。更にまた、第一，第二の取っ手５８，１０４を第一，第二の目皿構造体５６，１０２の上方に突設して、大気中に突出させたことにより、第一，第二の取っ手５８，１０４を把持することで、貯水状態下において、第一，第二の目皿構造体５６，１０２を容易に着脱できる。
【００７２】
また、連結管路６０上に連通／遮断バルブ６４と第一のドレンバルブ６６と第二のドレンバルブ１００をそれぞれ配設したことにより、清掃時や非使用時に第一の水槽本体１６および第二の水槽本体１８や連結管路６０に貯留された被検査水３２を容易に排水することができる。また、これらのバルブを開閉することにより、連結管路６０や第一，第二の排水管路６８，９８等の連通／遮断状態を適宜に切り替えることが可能である。
【００７３】
また、溢流型排水壁７６を着脱可能としたことにより、利用する魚の形状や大きさ等に応じて、壁高さや形状の異なる溢流型排水壁と交換できる。更に、第一，第二のオーバーフロー壁２６，８０もそれぞれ着脱可能とされていることにより、破損や設定水位の変更に応じて、それぞれ交換が可能である。
【００７４】
更に、本実施形態においては、第一の水槽本体１６と第二の水槽本体１８を互いに独立形成された同一の基本構造体によって形成した。それ故、複数種の水槽を製造する必要がなく、製造費用を抑えることができる。なお、第二の水槽本体１８において、第二のオーバーフロー壁８０を取り外すと共に、溢流型排水壁７６に代えて第一のオーバーフロー壁２６を取り付けることで、第二の水槽本体１８と基本構造を同一として、第一の水槽本体１６が構成される。この場合、図９に示すように、第二のオーバーフロー排水口９４および第二のオーバーフロー排水管路１０８を、第一のオーバーフロー排水口４８および第一のオーバーフロー排水管路５０として利用すると共に、排水口９４と排水管路９６を第三のオーバーフロー排水口１３６および第三のオーバーフロー排水管路１３８として利用することが可能である。これによって、第一のオーバーフロー升３０に流入した被検査水３２を確実に排水することができる。また、より簡易には、第二の水槽本体１８における溢流型排水壁７６を取り外し、排水口９４を閉塞せしめることで、第一の水槽本体１６として利用することも可能である。
【００７５】
更にまた、本実施形態では、既設のセキュリティーシステム１３２及び既設の上水道監視装置１３４の一部を、水質監視装置１０が異常を検出した際の警報装置１４に利用した。これによって、高価な中央監視装置１２２や端末器１３０や専用回線１２０を新規に準備する必要が無く、警報装置１４を安価に且つ設置の手間を省いて実現することができる。
【００７６】
以上、本発明の一実施形態について説明してきたが、本発明これはあくまでも例示であって、本発明は、かかる実施形態における具体的な記載によって、何等、限定的に解釈されるものではない。
【００７７】
すなわち、前記実施形態では、本発明に従う構造の水質監視装置を浄水施設に設置した形態について説明したが、本発明は前記実施形態で示した浄水施設における利用以外でも適用可能である。具体的には、例えば、多数戸の集合する団地等での集中的な給水システム等においても適用され得る。
【００７８】
また、前記実施形態において、第一の水槽本体１６及び第二の水槽本体１８の材質を繊維強化合成樹脂材としたが、水槽の材質は前記実施形態のものに限定されない。例えば、繊維強化をしていない合成樹脂材や金属，コンクリート等により水槽を形成することも可能である。
【００７９】
被検査水３２は、前記実施形態において示したように、常時第一の飼育水槽２８に給水されることが望ましいが、必ずしも常時給水されている必要はなく、要求される毒物検出能力に応じて、断続的に給排水されるシステムにも適用可能である。
【００８０】
前記実施形態では、毒物が検出された際に、遠隔地の管理者が操作する中央監視装置１２２に対して警告を発すると共に、テレビカメラによる撮像の送信を開始して、水質監視装置１０の様子を中央監視装置１２２に送信する警報装置１４を示したが、毒物検出を知らせる警報装置としては、前記実施形態のものに限定されず、種々の装置が適用される。具体的には、例えば、管理者が水質監視装置１０を設置した浄水場内にいる場合には、浄水場内において警告灯を点灯させたり、警告音を発するようにしても良い。なお、各種警報装置は、選択的に一つを用いることも可能であるが、複数を併用することも可能であり、浄水場内の管理者に警告を発すると同時に、遠隔地の管理者にも警告を発するようにもできる。
【００８１】
更に、前記実施形態では、溢流型排水壁７６の上部にＶ字形状の切欠きを設けていたが、切欠きの形状は前記実施形態の形状に何ら限定されず、Ｕ字形状等各種形状の切欠きが採用され得る。更にまた、切欠きは必ずしも必要ではなく、切欠きを設けなくても良い。
【００８２】
前記実施形態において、水質監視装置１０は、その警報装置１４の一部として既設のセキュリティーシステム１３２及び既設の上水道監視装置１３４の一部を利用していたが、これらの既設の設備を必ずしも利用する必要は無く、毒物検出装置１２及び警報装置１４を、他のシステムから独立した態様で設置することも可能である。
【００８３】
前記実施形態において、第二の排水管路９８は、その一端が連結管路６０に接続されていたが、必ずしも接続されている必要は無い。
【００８４】
また、排水管路９６は、第二の排水管路９８に必ずしも接続されている必要は無い。また、前記実施形態では、第二のオーバーフロー排水管路１０８は、第二の排水管路９８に接続されていたが、これもまた、必ずしも接続する必要は無い。
【００８５】
更に、第一，第二のオーバーフロー壁２６，８０及び第一，第二のオーバーフロー排水口４８，１０６、更には、第一，第二のオーバーフロー排水管路５０，１０８は、何れも必ずしも必要ではない。
【００８６】
また、第一，第二の水槽本体１６，１８の上方を覆って、風雨や夏期の日光を防ぐ遮蔽屋根を設置することも出来る。
【００８７】
また、第一，第二の飼育水槽２８，８２の一部に季節や気候，時間などを考慮して適当な日陰を積極的に作ることによって、魚５４を出水口５２や溢流型排水壁７６付近へ積極的に誘導して、予め集めておくことも出来る。これによって、毒物のより一層速やかな検出を期待できる。
【００８８】
更にまた、第一，第二の飼育水槽２８，８２のそれぞれにおける給水位置と排水位置の関係を、例えば、水槽の長手方向の両端付近に設定する等によって、水槽内に給水位置から排水位置に向かう流れを積極的に作ることも可能である。これによれば、水流によって死亡した魚５４をより速やかに出水口５２や排水口９４へ導くことが出来る。
【００８９】
前記実施形態において、第一の水槽本体１６と第二の水槽本体１８は略同じ高さに設置するとしたが、設置した高さが異なる場合においても、本発明は有効に機能し得る。
【００９０】
以下、本発明の効果を具体的に測定した実施データを表１および表２に示す。なお、以下の実施例は、図１０，１１に示す如き、本発明に従う構造とされた実験装置１４０において、被検査水３２を水中ポンプ１１６によって循環させると共に、被検査水３２に毒物を混入してからの水位の上昇値を実測して行った。
【００９１】
ここにおいて、本実施例において用いられる実験装置１４０をより詳細に説明すると、かかる実験装置１４０は、本発明に従う構造とされた前記実施形態に係る水質監視装置１０の一部を実験に適合させたものである。以下の説明において、前記実施形態の部材及び部位と実質的に同一とされた部材については、図１０，１１中に前記実施形態と同一の符号を付すことによりその説明を省略する。
【００９２】
より詳細に実験装置１４０を説明すると、第一，第二の水槽本体１６，１８は前記実施形態に従う形状及び材質によって構成された水槽であって、その容積は約３８０リットルとされている。また、第一のオーバーフロー升３０の容積が、約１２リットル，排水升８４の容積が、約７．２リットル，第二のオーバーフロー升８６の容積が、約４．８リットルとされている。
【００９３】
また、本実施例では、貯水池１１４の代わりに、被検査水３２を貯留したテスト用水槽１４２を設け、かかるテスト用水槽１４２に水中ポンプ１１６を沈めた。水中ポンプ１１６は３２φ２００Ｗのポンプであって、テスト用水槽１４２から被検査水３２を吸引し、接続された樹脂製の給水管路１４４によって第一の飼育水槽２８に対して、１２０ｌ／ｍｉｎの割合で連続給水を行う。また、前記実施形態において、一方の端部を連結管路６０に接続された第二の排水管路９８は、その他方の端部が側溝へ導かれており、排水するようにされていたが、本実施例においては、かかる端部が、テスト用水槽１４２に接続されており、ポンプが作動することによって、被検査水３２が循環するようになっている。なお、テスト用水槽１４２は、被検査水３２が無くならないように適宜に給水される。
【００９４】
また、前記実施形態において、第一のオーバーフロー排水管路５０の端部は、図示しない側溝に導かれて、流れ込んだ被検査水３２を排水するようにされていたが、本実施例においては、連結管路６０に接続されて、第一のオーバーフロー升３０内に流入した被検査水３２も排水されることなく、循環するようにされている。
【００９５】
更に、前記実施形態において、連結管路６０に接続されていた第一の排水管路６８は、本実施例における実験装置１４０においては、配設されていない。
【００９６】
本実施例において、実験に用いる魚５４は、ふな（体長２０ｃｍ），あまご（体長１２ｃｍ）( 以下、あまご（１）とする) ，あまご（体長７ｃｍ）（以下、あまご（２）とする），金魚（体長６ｃｍ）の４種を選択した。そして、第一の飼育水槽２８には、ふな１１尾，あまご（１）１０尾，あまご（２）６尾，金魚５尾が、同時に飼育されている。一方、第二の飼育水槽８２には、ふな１０尾，あまご（１）１０尾，あまご（２）６尾，金魚２尾が、同時に飼育されている。
【００９７】
本実施例では、警報装置１４として第一，第二の水位検出センサー３４，９０に接続された警告灯１４６を採用した。この警告灯１４６は、第一乃至第二の水位検出センサー３４，９０が作動すると、正面パネルに設けられたランプが点灯して、水位の上昇を知らせるものである。
【００９８】
因みに、実験の実施日の実験開始時刻である１４時０分の天候は、晴れで、気温１７℃、水温２０℃であった。
【００９９】
上述の如き実験装置１４０において、テスト用水槽１４２にまず、毒物としての次亜塩素酸ソーダ１０ｃｃを投入した後、２０分経過後に更に次亜塩素酸ソーダ１０ｃｃを追加投入して、被検査水３２に混入させ、魚５４の生死および死亡位置を約１０分間隔で実測した結果を表１および表２に示す。なお、表１は第一の水槽本体１６（沈降型検出水槽）における実測結果を、表２は第二の水槽本体１８（浮上型検出水槽）における実測結果をそれぞれ示す。
【０１００】
【表１】
2005321286.tif 000003
【０１０１】
【表２】
2005321286.tif 000004
【０１０２】
表１に示された結果からも明らかなように、第一の水槽本体１６における水位の確実な上昇が実測によって確認された。
【０１０３】
表２に示す結果によれば、２０分経過時点での水位の上昇は０ｃｍとなっている。更に、３０分後においても水位の上昇が０ｃｍであったため、排水升８４を確認したところ、溢流型排水壁７６を越えて排水升８４へ流れ込んだ被検査水３２の水流が、直接排水口９４に当たっており、排水口９４に保持されている魚５４を押し流して、排水口９４から排除していることが明らかとなった。それ故、発明者は、溢流型排水壁７６を越えて排水升８４へ流入する水流が排水口９４へ直接当たることを防ぐと共に、溢流型排水壁７６を越えて排水升８４へと運ばれた魚５４が直接排水口へと運ばれるように、邪魔板８８を設置した。その結果、直ちに排水升８４内の水位が上昇し、表２の３０分後の水位を示す欄において括弧書きで示す通り、１５ｃｍの水位上昇が確認できた。従って、第二の水槽本体１８においても、確実に水位の上昇が生じることが実測によって明らかとなった。
【図面の簡単な説明】
【０１０４】
【図１】本発明の一実施形態としての水質監視装置を示す縦断面図である。
【図２】図１に示された水質監視装置の平面図である。
【図３】図１に示された水質監視装置の側面図である。
【図４】図１に示された水質監視装置における第一の水槽の要部を拡大した説明図である。
【図５】図１に示された水質監視装置における第二の水槽の要部を拡大した説明図である。
【図６】図１に示された水質監視装置の溢流型排水壁を示す説明図であって、図５におけるＶＩ−ＶＩ断面に相当する図である。
【図７】図１に示された水質監視装置の設置状態を示す配置図である。
【図８】図１に示された水質監視装置の作動を示すフローチャートである。
【図９】本発明の別の一実施形態としての水質監視装置を示す縦断面図である。
【図１０】本発明の一実施例としての水質監視装置を示す縦断面図である。
【図１１】図１０に示された水質監視装置を示す平面図である。
【符号の説明】
【０１０５】
１０  水質監視装置
１６  第一の水槽本体
１８  第二の水槽本体
３２  被検査水
３４  第一の水位検出センサー
２６  第一のオーバーフロー壁
５０  第一のオーバーフロー排水管路
５４  魚
５２  出水口
６０  連結管路
６２  給水口
７６  溢流型排水壁
８４  排水升
９０  第二の水位検出センサー
９４  排水口
８０  第二のオーバーフロー壁
１０８  第二のオーバーフロー排水管路
１１４  貯水池
１１８  給水管路
【図１】
2005321286.tif 000005
【図２】
2005321286.tif 000006
【図３】
2005321286.tif 000007
【図４】
2005321286.tif 000008
【図５】
2005321286.tif 000009
【図６】
2005321286.tif 000010
【図７】
2005321286.tif 000011
【図８】
2005321286.tif 000012
【図９】
2005321286.tif 000013
【図１０】
2005321286.tif 000014
【図１１】
2005321286.tif 000015